(57)【特許請求の範囲】
【請求項１】
通信網を介して接続された第１の端末（１０ａ〜１０ｆ、１１、１２）からの注文を受け付けるサーバ（２０、２１）と、車両に搭載され、前記サーバ（２０、２１）と通信接続されたＤＳＲＣ路側機（２２）との間で無線通信を行うＤＳＲＣ無線通信機（３０）から成る注文システムであって、
前記サーバ（２０、２１）は、
複数の第１の端末（１０ａ〜１０ｆ、１１、１２）からそれぞれ共通の識別情報を含む個人別の注文を受け付けると、前記共通の識別情報を含む注文を１つの注文として、前記複数の個人別の注文内容を、個人を特定するための名称別に一括表示するための注文情報を生成し、前記ＤＳＲＣ路側機（２２）を介して前記注文情報を前記ＤＳＲＣ無線通信機（３０）へ送信する注文情報送信手段を備え、
前記ＤＳＲＣ無線通信機（３０）には、表示部を有する第２の端末（４０）が通信接続されるようになっており、
前記ＤＳＲＣ無線通信機（３０）は、
前記サーバ（２０、２１）より送信された前記注文情報を前記第２の端末（４０）に送信して、前記第２の端末（４０）に、前記個人別の注文内容を、個人を特定するための名称別に前記表示部に一括表示するように指示する表示指示手段と、前記第２の端末（４０）より前記表示部に表示された前記個人別の注文の料金決済指示があると、当該表示部に表示された前記個人別の注文の料金決済処理を実施する料金決済処理手段とを備え、
前記注文情報送信手段は、前記料金決済処理が完了している注文と前記料金決済処理が完了していない注文を識別可能となるように、前記個人別の注文内容を一括表示するための情報を前記ＤＳＲＣ無線通信機（３０）へ送信し、
前記表示指示手段は、前記第２の端末（４０）に前記料金決済処理が完了している注文内容と前記料金決済処理が完了していない注文内容を識別可能となるように、前記個人別の注文内容を一括表示するように指示し、
前記料金決済処理手段は、前記料金決済処理が完了した注文を除外して前記注文の料金決済処理の実施を指示することを特徴とする注文システム。
【請求項２】
前記ＤＳＲＣ無線通信機（３０）は、
前記第２の端末（４０）より前記表示部に表示された前記個人別の注文内容の変更を指示する注文変更通知を受信すると、当該注文変更通知を前記サーバ（２０、２１）に送信する注文変更通知送信手段を備え、
前記サーバ（２０、２１）は、
前記注文変更通知に基づいて前記個人別の注文内容を変更することを特徴とする注文内容変更手段を備えたことを特徴とする請求項１に記載の注文システム。
【請求項３】
前記サーバ（２０、２１）には、印刷機（２３）が接続されており、
前記サーバ（２０、２１）は、前記個人を特定するための名称別に個人別の注文内容を印刷するように前記印刷機（２３）に指示する印刷指示手段を備えたことを特徴とする請求項１または２に記載の注文システム。
【請求項４】
前記第２の端末（４０）は、ナビゲーション装置であることを特徴とする請求項１ないし３のいずれか１つに記載の注文システム。
【発明の詳細な説明】
【技術分野】
【０００１】
本発明は、端末からの注文を受け付けるサーバと、車両に搭載され、サーバと通信接続された路側機との間で無線通信を行う無線通信機から成る注文システムに関するものである。
【背景技術】
【０００２】
ファーストフード等の外食産業では、ドライブスルーを利用して商品を購入することが可能な店舗が数多くある。このドライブスルーでは、乗員が車両に乗車したままで、商品の注文、料金の支払い、商品の受け取りを行うことが可能である。
【０００３】
このようなドライブスルーが設置された店舗において、携帯端末等から無線通信を介して店舗側のサーバにアクセスして注文を行うシステムが種々提案されている（例えば、特許文献１参照）。
【先行技術文献】
【特許文献】
【０００４】
【特許文献１】特開２００８−１０２９４２号公報
【発明の概要】
【発明が解決しようとする課題】
【０００５】
ところで、近年、ミニバン等の多くの乗員が乗車可能な車両が主流となりつつある。このような車両において、上記したように、携帯端末等から無線通信を介して店舗側のサーバにアクセスして注文を行う場合、乗員の一人が同乗者の全ての注文を聞き取り、携帯端末を操作してサーバにアクセスし、同乗者の分までまとめて注文するといったことが考えられる。
【０００６】
しかし、このように乗員の一人が同乗者の注文を聞き取り、携帯端末を操作して同乗者の分までまとめて注文するのは、携帯端末を操作する人の負担が大きく、注文するのに時間がかかるといった問題がある。
【０００７】
また、複数の乗員が同じ商品を注文する場合には、同じ商品の数を加算して注文する必要があるため、同乗者の数や注文する商品の種類や数が多くなるほど誤って注文してしまう可能性が高くなるといた問題がある。
【０００８】
本発明は上記問題に鑑みたもので、乗員の負担を低減するとともに、希望する商品を正確に注文できるようにすることを目的とする。
【課題を解決するための手段】
【０００９】
上記目的を達成するため、請求項１に記載の発明は、通信網を介して接続された第１の端末（１０ａ〜１０ｆ、１１、１２）からの注文を受け付けるサーバ（２０、２１）と、車両に搭載され、サーバ（２０、２１）と通信接続されたＤＳＲＣ路側機（２２）との間で無線通信を行うＤＳＲＣ無線通信機（３０）から成る注文システムであって、サーバ（２０、２１）は、複数の第１の端末（１０ａ〜１０ｆ、１１、１２）からそれぞれ共通の識別情報を含む個人別の注文を受け付けると、共通の識別情報を含む注文を１つの注文として、複数の個人別の注文内容を、個人を特定するための名称別に一括表示するための注文情報を生成し、ＤＳＲＣ路側機（２２）を介して注文情報をＤＳＲＣ無線通信機（３０）へ送信する注文情報送信手段を備え、ＤＳＲＣ無線通信機（３０）には、表示部を有する第２の端末（４０）が通信接続されるようになっており、ＤＳＲＣ無線通信機（３０）は、サーバ（２０、２１）より送信された注文情報を第２の端末（４０）に送信して、第２の端末（４０）に、個人別の注文内容を、個人を特定するための名称別に表示部に一括表示するように指示する表示指示手段を備えたことを特徴としている。
【００１０】
このような構成によれば、サーバ（２０、２１）は、複数の第１の端末（１０ａ〜１０ｆ、１１、１２）からそれぞれ共通の識別情報を含む個人別の注文を受け付けると、共通の識別情報を含む注文を１つの注文として、複数の個人別の注文内容を、個人を特定するための名称別に一括表示するための注文情報を生成し、ＤＳＲＣ路側機（２２）を介して注文情報をＤＳＲＣ無線通信機（３０）へ送信し、ＤＳＲＣ無線通信機（３０）は、サーバ（２０、２１）より送信された注文情報を第２の端末（４０）に送信して、第２の端末（４０）に、個人別の注文内容を、個人を特定するための名称別に表示部に一括表示するように指示するので、例えば、乗員の一人が他人の注文を聞き取り、携帯端末を操作して同乗者の分までまとめて注文する必要がなく、乗員の負担を低減することができる。また、第２の端末（４０）の表示部で個人別の注文内容を、個人を特定するための名称別に一括表示されるので、希望する商品を確認して正確に注文することが可能である。
【００１１】
また、請求項２に記載の発明は、ＤＳＲＣ無線通信機（３０）は、第２の端末（４０）より表示部に表示された個人別の注文内容の変更を指示する注文変更通知を受信すると、当該注文変更通知をサーバ（２０、２１）に送信する注文変更通知送信手段を備え、サーバ（２０、２１）は、注文変更通知に基づいて個人別の注文内容を変更することを特徴とする注文内容変更手段を備えたことを特徴としている。
【００１２】
このような構成によれば、第２の端末（４０）の表示部に表示された個人別の注文内容に誤りあることに気付いた場合、第２の端末（４０）を操作して第２の端末（４０）より表示部に表示された個人別の注文内容の変更を指示する注文変更通知をサーバに送信させることで、サーバ側で個人別の注文内容が変更されるので、迅速かつ容易に注文内容を変更することが可能である。
【００１３】
また、請求項１に記載の発明は、ＤＳＲＣ無線通信機（３０）は、第２の端末（４０）より表示部に表示された個人別の注文の料金決済指示があると、当該表示部に表示された個人別の注文の料金決済処理を実施する料金決済処理手段を備えたことを特徴としている。
【００１４】
このような構成によれば、ＤＳＲＣ無線通信機（３０）は、第２の端末（４０）より表示部に表示された個人別の注文の料金決済指示があると、当該表示部に表示された個人別の注文の料金決済処理を実施するので、現金で料金を支払う必要がなく、より乗員の負担を低減することができる。
【００１５】
また、請求項１に記載の発明は、注文情報送信手段は、料金決済処理が完了している注文と料金決済処理が完了していない注文を識別可能となるように、個人別の注文内容を一括表示するための情報をＤＳＲＣ無線通信機（３０）へ送信し、表示指示手段は、第２の端末（４０）に料金決済処理が完了している注文内容と料金決済処理が完了していない注文内容を識別可能となるように、個人別の注文内容を一括表示するように指示し、料金決済処理手段は、料金決済処理が完了した注文を除外して注文の料金決済処理の実施を指示することを特徴としている。
【００１６】
このような構成によれば、表示指示手段は、第２の端末（４０）に料金決済処理が完了している注文内容と料金決済処理が完了していない注文内容を識別可能となるように、個人別の注文内容を一括表示するように指示するので、乗員はどの注文の料金決済処理が完了してどの注文の料金決済処理が完了してしないのかを容易に確認でき、より乗員の負担を低減することができる。また、料金決済処理指示手段は、料金決済処理が完了した注文を除外して注文の料金決済処理の実施を指示するので、更に、乗員の負担を低減することができる。
【００１７】
また、請求項３に記載の発明は、サーバ（２０、２１）には、印刷機（２３）が接続されており、サーバ（２０、２１）は、個人を特定するための名称別に個人別の注文内容を印刷するように印刷機（２３）に指示する印刷指示手段を備えたことを特徴としている。
【００１８】
このような構成によれば、サーバ（２０、２１）は、個人を特定するための名称別に個人別の注文内容を印刷するように印刷機（２３）に指示するので、店舗の作業者は印刷された内容に従って個人別の注文内容を別々の袋に袋詰めすることで、注文された商品を各個人に正確に渡すことが可能である。
【００１９】
また、ナビゲーション装置は、各座席の乗員から視認され易い位置に取り付けられることが多く、請求項４に記載の発明のように、第２の端末（４０）をナビゲーション装置とすることで、各座席の乗員が個別の注文内容を容易に確認することが可能である。
【００２０】
なお、この欄および特許請求の範囲で記載した各手段の括弧内の符号は、後述する実施形態に記載の具体的手段との対応関係を示すものである。
【図面の簡単な説明】
【００２１】
【図１】本発明の一実施形態に係る注文システムの全体構成を示す図である。
【図２】ＤＳＲＣ車載器のブロック構成図である。
【図３】携帯端末から注文管理サーバにアクセスして、商品を注文する際の携帯端末のフローチャートである。
【図４】個人別の注文内容の例を示す図である。
【図５】注文管理サーバのフローチャートである。
【図６】商品が小袋に貼り付けられた印刷用紙の内容に従って袋詰めされる様子を示す図である。
【図７】ＤＳＲＣ車載器の制御部のフローチャートである。
【図８】ナビゲーション装置の表示部に表示される表示例である。
【発明を実施するための形態】
【００２２】
本発明の一実施形態に係る注文システムの全体構成を図１に示す。本注文システムは、通信網を介して接続された携帯端末１０ａ〜１０ｆ、１１、パーソナルコンピュータ１２からの注文を受け付ける注文管理サーバ２０と、車両に搭載され、注文管理サーバ２０と通信接続されたＤＳＲＣ路側機２２との間で狭域通信（ＤＳＲＣ：Ｄｅｄｉｃａｔｅｄ Ｓｈｏｒｔ Ｒａｎｇｅ Ｃｏｍｍｕｎｉｃａｔｉｏｎ）を行うＤＳＲＣ車載器３０により構成されている。
【００２３】
店舗には、注文管理サーバ２０、決済サーバ２１、ＤＳＲＣ路側機２２、無線ＬＡＮアクセスポイント２４が設置されている。また、注文管理サーバ２０と決済サーバ２１は、ＬＡＮ（Ｌｏｃａｌ  Ａｒｅａ  Ｎｅｔｗｏｒｋ）を介して接続されている。また、注文管理サーバ２０および決済サーバ２１には、ＬＡＮを介してプリンタ２３が接続されている。
【００２４】
注文管理サーバ２０および決済サーバ２１には、それぞれ操作部およびディスプレイが接続されている。注文管理サーバ２０および決済サーバ２１は、それぞれＣＰＵ、ＲＡＭ、ＲＯＭ、フラッシュメモリ、ハードディスクドライブ、Ｉ／Ｏ等を備えたコンピュータとして構成されており、ＣＰＵは、ハードディスクドライブに記憶されたプログラムに従って各種処理を実施する。
【００２５】
また、注文管理サーバ２０には、狭域通信を行うためのＤＳＲＣ路側機２２、無線ＬＡＮ環境を構築するための無線ＬＡＮアクセスポイント２４およびインターネット網が接続されている。なお、インターネット網には、公衆無線ＬＡＮも含まれる。
【００２６】
注文管理サーバ２０は、無線ＬＡＮアクセスポイント２４により構築された無線ＬＡＮを介して接続された携帯端末１０ａ〜１０ｆや、インターネット網を介して接続された携帯端末１１あるいは自宅のパーソナルコンピュータ１２等からの注文を受け付ける。
【００２７】
決済サーバ２１は、決済事業者との間で注文管理サーバ２０が受けた注文の決済のための処理を行う。
【００２８】
店舗には、乗員が車両に乗車したままで、商品の注文、料金の支払い、商品の受け取りを行うようにするためのドライブスルーが設置されている。この店舗では、商品を注文する位置に用意された注文用停車位置に車両を停車させて商品の注文および料金決済を行い、その後、商品の受け渡しをする位置に用意された商品受け渡し用停車位置に車両を移動させて、そこで商品が受け渡されるようになっている。
【００２９】
ＤＳＲＣ路側機２２は、店舗の注文用停車位置を通信エリアに含むように設置されている。
【００３０】
無線ＬＡＮアクセスポイント２４は、店舗においてインターネット接続するための無線ＬＡＮ環境を構築するためのものである。
【００３１】
車両には、ＤＳＲＣ車載器３０およびナビゲーション装置４０が搭載されている。ＤＳＲＣ車載器３０とナビゲーション装置４０は、通信線を介して接続されている。
【００３２】
ＤＳＲＣ車載器３０は、注文管理サーバ２０と通信接続されたＤＳＲＣ路側機２２との間で狭域通信を行う。なお、ＤＳＲＣ車載器３０の詳細については後で説明する。
【００３３】
ナビゲーション装置４０は、車両の現在位置や、現在位置から目的地までの案内経路を表示部等に表示させて走行案内を行うものである。
【００３４】
本実施形態では、車両に６人の乗員Ａ〜Ｆが乗車しており、乗員Ａ〜Ｆのそれぞれが店舗に設置された無線ＬＡＮアクセスポイント２４により構築された無線ＬＡＮを利用することが可能な携帯端末１０ａ〜１０ｆを所持しているものとする。
【００３５】
自宅には、インターネット網に接続することが可能なパーソナルコンピュータ１２が設置されている。また、自宅には無線ＬＡＮ環境が整備されており、この無線ＬＡＮ環境を利用してインターネット網に接続することも可能となっている。
【００３６】
本実施形態では、携帯端末１１を所持する友人Ｇとパーソナルコンピュータ１２を操作する友人Ｈが在宅しているものとする。
【００３７】
ＤＳＲＣ車載器３０のブロック構成を図２に示す。ＤＳＲＣ車載器３０は、ＤＳＲＣ通信部３１、カードインタフェース３２、外部機器インタフェース３３、ナビゲーション装置インタフェース３４および制御部３５を備えている。
【００３８】
ＤＳＲＣ通信部３１は、制御部３５より入力される送信信号に応じた電波を無線送信するとともに、ＤＳＲＣ路側機２２からの電波を受信した受信信号を制御部３５へ出力する。
【００３９】
カードインタフェース３２は、料金決済用カードを挿入するカード挿入口を有しており、カード挿入口に挿入された料金決済用カードから各種情報の読み出し等を行う。なお、料金決済用カードには、有料道路の通行料金の決済を行うためのＥＴＣカード（ＥＴＣは登録商標）と、店舗等における商品購入の決済を行うためのクレジットカードとがある。
【００４０】
外部機器インタフェース３３は、携帯電話、スマートフォンと呼ばれる高機能携帯端末等の携帯端末と通信するためのインタフェースである。本実施形態における外部機器インタフェース３３は、無線データ通信（例えば、ブルートゥース）機能を有する携帯端末１０ａ〜１０ｆと無線データ通信を行うことが可能となっている。
【００４１】
ナビゲーション装置インタフェース３４は、ナビゲーション装置４０に接続するためのインタフェースである。
【００４２】
制御部３５は、ＣＰＵ、ＲＡＭ、ＲＯＭ、ＥＥＰＲＯＭ、Ｉ／Ｏ等を備えたコンピュータとして構成されており、ＣＰＵはＲＯＭに記憶されたプログラムに従って各種処理を実施する。
【００４３】
制御部３５の処理としては、ＤＳＲＣ通信部３１を介して通信接続されるＤＳＲＣ路側機２２との間で相互認証のためのデータのやり取りを行ってＤＳＲＣ路側機２２の正当性を確認する相互認証処理、ＤＳＲＣ通信部３１を介して有料道路の料金所のＥＴＣゲートに設置されたＤＳＲＣ路側機２２と狭域通信を行い、有料道路の通行料金の決済のための通行料金決済処理、店舗のドライブスルーに設置されたＤＳＲＣ路側機２２との間の狭域通信により商品の注文や商品の料金の決済等の商品購入のための商品購入処理等がある。また、制御部３５は、ＤＳＲＣ路側機２２との間で狭域通信を行う際に、データの暗号および復号を行うセキュリティ機能を有している。
【００４４】
上記した構成において、店舗の注文管理サーバ２０は、図１に示したような複数の異なる携帯端末１０ａ〜１０ｆ、１１、パーソナルコンピュータ１２から共通の識別情報（本実施形態では、車両ＩＤ）を含む複数の個人別の注文を受け付けると、共通の識別情報を含む注文を１つの注文として、複数の個人別の注文内容を、個人を特定するための名称別に一括表示するための注文情報を生成し、ＤＳＲＣ路側機２２を介して注文情報をＤＳＲＣ車載器３０へ送信する処理を行う。
【００４５】
また、ＤＳＲＣ車載器３０は、注文管理サーバ２０より送信された注文情報をナビゲーション装置４０に送信して、ナビゲーション装置４０に複数の個人別の注文内容を、個人を特定するための名称別に一括表示するように指示するように指示する。これにより、ナビゲーション装置４０の表示部に、複数の個人別の注文内容が、個人を特定するための名称別に一括表示されるようになっている。
【００４６】
図３に、携帯端末１０ａ〜１０ｆから注文管理サーバ２０にアクセスして、商品を注文する際の携帯端末１０ａ〜１０ｆのフローチャートを示す。なお、携帯端末１１、パーソナルコンピュータ１２から注文管理サーバ２０にアクセスして、商品を注文する際の携帯端末１１、パーソナルコンピュータ１２のフローチャートも同じとなる。
【００４７】
ユーザによる注文管理サーバ２０にアクセスするための操作が行われると、携帯端末１０ａ〜１０ｆは、無線ＬＡＮを介して注文管理サーバ２０にアクセスする（Ｓ１００）。
【００４８】
次に、注文商品とその数量を入力する注文画面と、ユーザ情報を入力するユーザ情報入力画面を表示させ、ユーザに各種情報の入力を促す（Ｓ１０２）。具体的には、携帯端末１０ａ〜１０ｆの表示部に商品一覧を表す注文画面を表示させ、この注文画面に従ってユーザにより希望する商品とその数量が入力されると、次に、ユーザ情報入力画面を表示させ、個人を特定するためのニックネーム、車両ＩＤおよび個別決済の有無を表す情報の入力を促すようになっている。なお、個別決済の有無を表す情報は、この注文時に電子決済処理を行うか、ドライブスルーでまとめて商品の料金を支払うかを表す情報である。
【００４９】
なお、本実施形態では、注文する度にニックネームを入力するようになあっているが、例えば、初めての注文時に、共通の識別情報（車両ＩＤ）とニックネームに加えて携帯端末１０ａ〜１０ｆの固有のＩＤ（例えば、製造番号）を注文管理サーバ２０へ送信すると、注文管理サーバ２０側で、ニックネームと携帯端末１０ａ〜１０ｆの固有のＩＤとが関連付けして記憶され、次回以降、注文時に、共通の識別情報（車両ＩＤ）と携帯端末１０ａ〜１０ｆの固有のＩＤを注文管理サーバ２０へ送信すると、注文管理サーバ２０が、携帯端末１０ａ〜１０ｆの固有のＩＤからニックネームを特定するように構成することもできる。このような構成とすることで、次回以降、毎回、ニックネームを入力しなくてすむようにすることも可能である。
【００５０】
次に、商品の注文内容が確定したか否かを判定する（Ｓ１０４）。具体的には、携帯端末１０ａ〜１０ｆの表示部に注文が確定したか否かを表す「注文確定ボタン」を表示させ、ユーザ操作によりこの「注文確定ボタン」が選択操作されたか否かに基づいて商品の注文内容が確定したか否かを判定する。
【００５１】
ここで、商品の注文内容が確定していない場合、Ｓ１０４の判定はＮＯとなり、Ｓ１０４の判定を繰り返す。また、ユーザにより「注文確定ボタン」が選択操作されると、Ｓ１０４の判定はＹＥＳとなり、次に、注文内容を注文管理サーバ２０へ送信する（Ｓ１０６）。
【００５２】
次に、個別決済の有無を表す情報に基づいて注文時に電子決済処理を行うか否かを判定する（Ｓ１０８）。
【００５３】
ここで、個別決済の有無を表す情報に基づいて注文時に電子決済処理を行うと判定した場合、Ｓ１１０８の判定はＹＥＳとなり、この注文の料金支払いについて、無線ＬＡＮを介した個別の電子決済を行う（Ｓ１１０）。具体的には、注文管理サーバ２０に注文した商品の料金決済のための情報を送信し、注文管理サーバ２０から決済サーバ２１を介して決済事業者に接続し、注文した商品の料金決済のための処理を実施する。
【００５４】
また、個別決済の有無を表す情報に基づいて商品を受け取る際に決済すると判定された場合、Ｓ１０８の判定はＮＯとなり、電子決済処理を実施することなく、本処理を終了する。
【００５５】
このように、注文管理サーバ２０は、複数の異なる携帯端末１０ａ〜１０ｆ、１１、パーソナルコンピュータ１２から共通の識別情報（車両ＩＤ）を含む複数の個人別の注文を受け付けるようになっている。なお、共通の識別情報（車両ＩＤ）は、ＳＤＲＣ車載器２２のメモリにも格納されている。
【００５６】
図５に、注文管理サーバ２０のフローチャートを示す。注文管理サーバ２０は、周期的に図５に示す処理を実施する。
【００５７】
まず、注文受け付けを行う（Ｓ２００）。具体的には、携帯端末１０ａ〜１０ｆ、１１、パーソナルコンピュータ１２等から送信される注文内容を表す情報に従って注文受け付けを行う。
【００５８】
本実施形態では、図１に示したように、レモンをニックネームとする運転者Ａ、パインをニックネームとする同乗者Ｂ、アップルをニックネームとする同乗者Ｃ、ココアをニックネームとする同乗者Ｄ、グレープをニックネームとする同乗者Ｅ、ミルクをニックネームとする同乗者Ｆが、それぞれ車両内から各自の携帯端末１０ａ〜１０ｆを操作してハンバーガー店の注文管理サーバ２０にアクセスし、図４に示したような商品を個別に注文したものとする。例えば、レモンをニックネームとする運転者Ａは、チキンバーガーセットを１つ注文し、パインをニックネームとする同乗者Ｂは、チーズバーガーセットを１つ注文したものとする。
【００５９】
また、オレンジをニックネームとする友人Ｇは、自宅から携帯端末１１を操作してハンバーガー店の注文管理サーバ２０にアクセスし、図４に示したような商品を個別に注文したものとする。また、チョコをニックネームとする友人Ｈは、パーソナルコンピュータ１２を用いてハンバーガー店の注文管理サーバ２０にアクセスし、図４に示したような商品を個別に注文したものとする。
【００６０】
次に、ニックネーム、車両ＩＤおよび個別決済の有無を特定する（Ｓ２０２）。
【００６１】
次に、注文情報を生成する（Ｓ２０４）。具体的には、同じ車両ＩＤを含む注文が他にない場合、その注文を１つの注文として、注文内容と、個人を特定するためのニックネームを表示するための注文情報を生成する。また、同じ車両ＩＤを含む注文が複数ある場合、同じ車両ＩＤを含む注文を１つの注文として、複数の個人別の注文内容を、個人を特定するためのニックネーム別に一括表示するための注文情報を生成する。なお、注文情報には、個別に決済が完了している注文であるか否かを識別するための個別決済完了情報も含まれる。
【００６２】
次に、注文情報に含まれる車両ＩＤに該当する車両とのリンクが確立したか否かを判定する（Ｓ２０６）。本実施形態では、ＤＳＲＣ車載器３０を搭載した車両がＤＳＲＣ路側機２２の通信エリアに進入し、ＤＳＲＣ車載器３０とＤＳＲＣ路側機２２との間のリンクが確立すると、ＤＳＲＣ車載器３０からメモリに格納された車両ＩＤが送信されるようになっている。注文管理サーバ２０は、ＤＳＲＣ車載器３０から送信される車両ＩＤと同じ車両ＩＤを含む注文情報があるか否かに基づいて注文情報に含まれる車両ＩＤに該当する車両とのリンクが確立したか否かを判定する。
【００６３】
ここで、ＤＳＲＣ車載器３０から送信される車両ＩＤと同じ車両ＩＤを含む注文情報が生成されてない場合、Ｓ２０６の判定はＮＯとなり、Ｓ２００へ戻る。また、ＤＳＲＣ車載器３０から送信される車両ＩＤと同じ車両ＩＤを含む注文情報が生成されている場合、Ｓ２０６の判定はＹＥＳとなり、次に、ＤＳＲＣ路側機２２を介してＤＳＲＣ車載器３０へ注文情報を送信する（Ｓ２０８）。なお、ＤＳＲＣ車載器３０は、この注文情報をナビゲーション装置４０へ送信して、ナビゲーション装置４０に複数の個人別の注文内容を、個人を特定するための名称別に一括表示するように指示する。また、ナビゲーション装置４０の表示部には、複数の個人別の注文内容が、個人を特定するためのニックネーム別に一括表示される。
【００６４】
次に、Ｓ２１０では、注文内容に変更がないか否かを判定する。ナビゲーション装置４０の表示部に一括表示された個人別の注文内容を確認したユーザが、注文の誤りに気付いた場合、ナビゲーション装置４０の操作部を操作して注文内容を変更できるようになっている。このとき、ナビゲーション装置４０から注文変更を指示する注文変更通知がＤＳＲＣ車載器３０を介して注文管理サーバ２０へ送信されるようになっている。ここでは、ＤＳＲＣ車載器３０を介してナビゲーション装置４０からの注文変更通知が受信されたか否かに基づいて注文内容に変更がないか否かを判定する。
【００６５】
また、Ｓ２１４では、注文が確定したか否かを判定する。具体的には、ナビゲーション装置４０の表示部に一括表示された個人別の注文内容を確認したユーザが、表示部に表示された「支払うボタン」を選択操作すると、注文確定を表す注文確定情報がＤＳＲＣ車載器３０を介して注文管理サーバ２０へ送信されるようになっている。ここでは、ＤＳＲＣ車載器３０を介してナビゲーション装置４０からの注文確定情報が受信されたか否かに基づいて注文が確定したか否かを判定する。
【００６６】
ここで、ナビゲーション装置４０から注文変更通知が受信された場合、Ｓ２１０の判定はＮＯとなり、次に、注文変更通知に従って注文情報を変更する（Ｓ２１２）。そして、Ｓ２０８にて、変更した注文情報をＤＳＲＣ車載器３０へ送信する。なお、ＤＳＲＣ車載器３０は、変更された注文情報をナビゲーション装置４０へ送信する。そして、ナビゲーション装置４０の表示部には、変更された個人別の注文内容が一括表示される。
【００６７】
また、ナビゲーション装置４０から注文変更通知が受信されることなく、注文確定情報が受信された場合、Ｓ２１４の判定はＹＥＳとなり、次に、注文情報に従ってディスプレイに個人別の注文内容を一括表示させるとともに、ニックネーム別に個人別の注文内容を印刷するようにプリンタ２３に指示する（Ｓ２１６）。これにより、プリンタ２３からニックネーム別に個人別の注文内容を印刷した印刷用紙（印刷用シール）が出力される。この印刷用紙は、ニックネーム別に容易に切り離すことが可能となっており、ニックネーム別の印刷用紙が、それぞれ小袋に貼り付けられる。また、調理場では、図６に示すように、ディスプレイに表示された個人別の注文内容に従って調理した商品が、それぞれ小袋に貼り付けられた印刷用紙の内容に従って袋詰めされる。なお、運転者Ａは商品受け渡し用停車位置に車両を移動させて、袋詰めされた小袋を受け取るようになっている。
【００６８】
次に、図示してないが、ＤＳＲＣ車載器３０と決済サーバ２１との間で、注文情報に含まれる注文内容の料金決済の処理を仲介し、本処理を終了する。
【００６９】
図７に、ＤＳＲＣ車載器３０の制御部３５のフローチャートを示す。制御部３５は、周期的に図５に示す処理を実施する。
【００７０】
まず、ＤＳＲＣ路側機２２とのリンクが確立したか否かを判定する（Ｓ３００）。具体的には、ＤＳＲＣ車載器３０を搭載した車両がＤＳＲＣ路側機２２の通信エリアに進入し、ＤＳＲＣ車載器３０とＤＳＲＣ路側機２２との間のリンクが確立したか否かを判定する。
【００７１】
ここで、ＤＳＲＣ車載器３０とＤＳＲＣ路側機２２との間のリンクが確立していない場合、Ｓ３００の判定はＮＯとなり、Ｓ３００の判定を繰り返し実施する。そして、ＤＳＲＣ車載器３０とＤＳＲＣ路側機２２との間のリンクが確立すると、Ｓ３００の判定はＹＥＳとなり、次に、注文管理サーバ２０から注文情報を受信したか否かを判定する（Ｓ３０２）。
【００７２】
ここで、注文管理サーバ２０から注文情報を受信していない場合、Ｓ３０２の判定を繰り返し実施する。また、注文管理サーバ２０から注文情報を受信すると、Ｓ３０２の判定はＹＥＳとなり、次に、注文情報をナビゲーション装置４０へ送信して、ナビゲーション装置４０に複数の個人別の注文内容を、個人を特定するための名称別に一括表示するように指示する（Ｓ３０４）。これにより、ナビゲーション装置４０の表示部には、複数の個人別の注文内容が、個人を特定するためのニックネーム別に一括表示される。また、ナビゲーション装置４０の表示部には、個別決済完了情報に基づいて、個別に決済が完了している注文であるか否かが識別可能に表示されている。
【００７３】
図８に、ナビゲーション装置４０の表示部に表示された個人別の注文内容の表示画面の様子を示す。ナビゲーション装置４０の表示部には、ニックネーム別に、個人別に注文された注文内容が一括表示されている。また、チョコさんとグレープさんの注文は個別に決済が完了しており、個別に決済が完了している注文であることを表す「支払い済」が表示されている。
【００７４】
Ｓ３０６では、注文内容に変更がないか否かを判定する。ナビゲーション装置４０の表示部に一括表示された個人別の注文内容を確認したユーザが、注文の誤りに気付き、ナビゲーション装置４０の操作部を操作して注文内容が変更され、ナビゲーション装置４０から変更後の注文内容を表す注文変更通知を受信したか否かに基づいて注文内容に変更がないか否かを判定する。
【００７５】
Ｓ３１０では、注文が確定したか否かを判定する。具体的には、ナビゲーション装置４０の表示部に一括表示された個人別の注文内容を確認したユーザが、表示部に表示された「支払うボタン」を選択操作すると、注文確定を表す注文確定情報がＤＳＲＣ車載器３０を介して注文管理サーバ２０へ送信されるようになっている。ここでは、ナビゲーション装置４０からの注文確定情報が受信されたか否かに基づいて注文が確定したか否かを判定する。
【００７６】
ここで、ナビゲーション装置４０から注文変更通知が受信された場合、Ｓ３０６の判定はＮＯとなり、次に、注文変更通知を注文管理サーバ２０へ送信する（Ｓ３０８）。
【００７７】
また、ナビゲーション装置４０から注文変更通知が受信されることなく、注文確定情報が受信された場合、Ｓ３１０の判定はＮＯとなり、次に、注文管理サーバ２０を介して決済サーバ２１に通信接続し、カード挿入口に挿入された料金決済用カード（クレジットカード）を利用した、注文情報に含まれる注文内容の料金決済のための処理を実施する。ここで、個別に決済が完了している注文を除外して、未払い分の商品について料金決済のための処理を実施し、本処理を終了する。
【００７８】
上記した構成によれば、注文管理サーバ２０は、携帯端末１０ａ〜１０ｆ、１１、１２、パーソナルコンピュータ１２からそれぞれ共通の識別情報を含む個人別の注文を受け付けると、共通の識別情報を含む注文を１つの注文として、複数の個人別の注文内容を、個人を特定するための名称別に一括表示するための注文情報を生成し、ＤＳＲＣ路側機２２を介して注文情報をＤＳＲＣ車載器３０へ送信し、ＤＳＲＣ車載器３０は、サーバ２０、２１より送信された注文情報を第２の端末４０に送信して、ナビゲーション装置４０に、個人別の注文内容を、個人を特定するための名称別に表示部に一括表示するように指示するので、例えば、乗員の一人が他人の注文を聞き取り、携帯端末を操作して同乗者の分までまとめて注文する必要がなく、乗員の負担を低減することができる。また、ナビゲーション装置４０の表示部で個人別の注文内容を、個人を特定するための名称別に一括表示されるので、希望する商品を確認して正確に注文することが可能である。
【００７９】
また、ナビゲーション装置４０の表示部に表示された個人別の注文内容に誤りあることに気付いた場合、ナビゲーション装置４０を操作してナビゲーション装置４０より表示部に表示された個人別の注文内容の変更を指示する注文変更通知をサーバに送信させることで、サーバ側で個人別の注文内容が変更されるので、迅速かつ容易に注文内容を変更することが可能である。
【００８０】
また、ＤＳＲＣ車載器３０は、ナビゲーション装置４０より表示部に表示された個人別の注文の料金決済指示があると、当該表示部に表示された個人別の注文の料金決済処理を実施するので、現金で料金を支払う必要がなく、より乗員の負担を低減することができる。
【００８１】
また、ＤＳＲＣ車載器３０は、ナビゲーション装置４０に料金決済処理が完了している注文内容と料金決済処理が完了していない注文内容を識別可能となるように、個人別の注文内容を一括表示するように指示するので、乗員はどの注文の料金決済処理が完了してどの注文の料金決済処理が完了してしないのかを容易に確認でき、より乗員の負担を低減することができる。また、ＤＳＲＣ車載器３０は、料金決済処理が完了した注文を除外して注文の料金決済処理の実施を指示するので、更に、乗員の負担を低減することができる。
【００８２】
また、注文管理サーバ２０は、個人を特定するための名称別に個人別の注文内容を印刷するようにプリンタ２３に指示するので、店舗の作業者は印刷された内容に従って個人別の注文内容を別々の袋に袋詰めすることで、各個人に注文した商品を正確に渡すことが可能である。
【００８３】
なお、本発明は上記実施形態に限定されるものではなく、本発明の趣旨に基づいて種々なる形態で実施することができる。
【００８４】
例えば、上記実施形態では、注文管理サーバ２０と決済サーバ２１を別々のサーバとして構成したが、１つのサーバで構成してもよい。
【００８５】
また、上記実施形態では、ＤＳＲＣ無線通信機３０が、注文管理サーバ２０より送信された注文情報をナビゲーション装置４０に送信して、第２の端末としてのナビゲーション装置４０に複数の個人別の注文内容を表示するように指示する例を示したが、ナビゲーション装置４０に限定されるものではなく、例えば、ＤＳＲＣ無線通信機３０の外部機器インタフェース３３を介して無線接続された乗員の１人の携帯端末（スマートフォン、携帯電話機等）を第２の端末として、この携帯端末に複数の個人別の注文内容を表示させたり、ナビゲーション装置４０と無線接続された乗員の１人の携帯端末や携帯型ゲーム機を第２の端末として、この携帯型ゲーム機に複数の個人別の注文内容を表示させたりするように構成してもよい。この場合、ナビゲーション装置４０の場合と同様に、注文内容を表示した携帯端末や携帯型ゲーム機から注文内容の変更および決済処理を行うことができるように構成してもよい。なお、第１の端末と第２の端末は同一の端末であってもよい。
【００８６】
また、上記実施形態では、プリンタ２３からニックネーム別に個人別の注文内容を印刷した印刷用紙（印刷用シール）を出力する例を示したが、ニックネーム別に個人別の注文内容を、直接商品を包む小袋に印刷するようにしてもよい。
【００８７】
また、上記実施形態では、共通の識別情報として車両ＩＤを使用したが、車両ＩＤに限定されるものではなく、例えば、料金決済用カードの番号、会員カードの番号、電話番号等、固有に割り当てられた番号を使用することもできる。
【００８８】
なお、上記実施形態における構成と特許請求の範囲の構成との対応関係について説明すると、Ｓ２０８が注文情報送信手段に相当し、Ｓ３０４が表示指示手段に相当し、Ｓ３０８が注文変更通知送信手段に相当し、Ｓ２１２が注文内容変更手段に相当し、Ｓ３１２が料金決済処理手段に相当し、Ｓ２１６が印刷指示手段に相当する。
【符号の説明】
【００８９】
１０ａ〜１０ｆ、１１  携帯端末
１２  パーソナルコンピュータ
２０  注文管理サーバ
２１  決済サーバ
２２  ＤＳＲＣ路側機
２３  プリンタ
２４  無線ＬＡＮアクセスポイント
３０  ＤＳＲＣ車載器
４０  ナビゲーション装置
【図１】
0005790465.tif 000002
【図２】
0005790465.tif 000003
【図３】
0005790465.tif 000004
【図４】
0005790465.tif 000005
【図５】
0005790465.tif 000006
【図６】
0005790465.tif 000007
【図７】
0005790465.tif 000008
【図８】
0005790465.tif 000009